(57)【要約】【課題】本発明は給液所の係員が釣り銭機の異常発生を確認できることを課題とする。【解決手段】燃料供給システム１０は、釣り銭機１４と、複数の燃料供給装置１６（１６１〜１６ｎ）と、管理コンピュータ２０と、ＰＯＳ本体２１とを有する。釣り銭機１４は、釣り銭を支払うための装置である。管理コンピュータ２０は、各燃料供給装置１６（１６１〜１６ｎ）を管理するための計量機管理画面をモニタ２０ａに表示すると共に、釣り銭機１４で異常が発生した場合には、異常内容を知らせる異常発生画面をモニタ２０ａに表示する。給液所の係員は、異常発生画面がモニタ２０ａに大きく表示されるので、即座に釣り銭機の異常を把握することが可能になる。そのため、給液所の係員は直ちに表示された番号の釣り銭機１４へ移動してメンテナンスを行うことができる。【選択図】    図１
2004203474.tif 000002
【特許請求の範囲】
【請求項１】
被燃料供給体に燃料を供給する複数の燃料供給機と、
貨幣を入金するための入金機と、
前記燃料供給機から供給された燃料の供給量に応じた金額が前記入金機に入金された入金額より少ない場合に釣り銭を排出する釣り銭機と、
前記燃料供給機を管理する管理コンピュータと、
を備えた燃料供給システムにおいて、
前記管理コンピュータは、表示面と、前記複数の燃料供給機及び前記釣り銭機の動作状態を当該表示面に表示する表示手段とを備えたことを特徴とする燃料供給システム。
【請求項２】
前記表示手段は、前記釣り銭機で異常が発生した場合、前記釣り銭機の状態を示す釣り銭機管理画面を前記表示面に表示することを特徴とする請求項１記載の燃料供給システム。
【請求項３】
前記表示手段は、前記釣り銭機を指定する操作釦が操作された場合、前記釣り銭機が保有する貨幣の種類別の枚数を前記表示面に表示させることを特徴とする請求項１記載の燃料供給システム。
【発明の詳細な説明】
【０００１】
【発明の属する技術分野】
本発明は燃料供給システムに係り、特に燃料を供給する際に車両の燃料タンクに予め設定された燃料供給モード（プリセットモードまたは満タンモード）で燃料を供給するよう構成した燃料供給システムに関する。
【０００２】
【従来の技術】
例えば、ガソリンや軽油等の油液を車両の燃料タンクに供給する燃料供給システムを例に挙げて以下説明する。
【０００３】
セルフサービス方式の計量機が設置された給液所等では、顧客（運転者）自身が給液モードの設定、給液作業、給液料金の精算を行うようになっている。そのため、顧客（運転者）は、給液料金の精算方法（現金支払いまたはクレジットカード支払い）を指定した後、給液を行う前に給液する油種や給液量等のスイッチを有する設定器により所定の油種、給液量または給液金額を入力する設定操作を行った後、給液操作を行うようになっている。
【０００４】
また、セルフサービス方式の計量機に給液量または給液金額の設定を行う設定器及び紙幣が入金される自動支払機が設けられている所謂アイランド精算方式の場合には、給液場所で給液料金の精算を行うことができる。この自動支払機は、紙幣挿入部及び紙幣収容部が設けられ、挿入された紙幣の種類を鑑別する紙幣鑑別部と、挿入された紙幣金額（入金金額）を表示する表示部とを有する。
自動支払機に紙幣を投入することにより給液料金を精算する方法では、設定操作を行う前に紙幣を自動支払機に入金する所謂前払い方式と、給液が終了した後に紙幣を自動支払機に入金する所謂後払い方式とがある。以下、前払い方式を用いた燃料供給システムについて説明する。
【０００５】
そして、アイランド精算方式の燃料供給システムでは、給液前に予め給液量または給液金額をプリセットする場合、顧客（運転者）は、まず自動支払機に紙幣（１万円札、５千円札等）を紙幣挿入部に挿入し、入金された金額が紙幣リーダにより読み取られて表示部に入金金額が表示された後、所望の油種（レギュラー、ハイオク、軽油等）を入力し、所望の給液量（１０リットル、２０リットル等）または給液金額（２千円、３千円等）を入力することで、計量機が給液可能状態になる。
【０００６】
給液終了後、入金額から給液量に応じた給液金額と消費税とを合計した金額を差し引いて釣り銭額を算出する。顧客（運転者）は、当該自動支払機から発行された伝票を受け取り、釣り銭機の設置場所へ移動する。そして、顧客（運転者）は、この伝票を釣り銭機の伝票読み取り機に挿入する。釣り銭機では、伝票に印刷された伝票番号を示すバーコードを読み取って計量機番号を認識し、当該計量機に対応する釣り銭額を払い出す（例えば、特許文献1参照）。
【０００７】
また、従来の燃料供給システムでは、給液所の事務所に設置された管理コンピュータ（「ＳＳコントローラ」とも呼ばれている）によって上記計量機の動作状態を管理しており、管理コンピュータのモニタに各計量機の動作状態が表示される。
【０００８】
一方、釣り銭機については、給液所の係員が定期的に釣り銭の有り高をチェックしており、有り高の少ない硬貨及び紙幣を補充している。
【０００９】
【特許文献１】
特開２００２−２８９４号公報
【００１０】
【発明が解決しようとする課題】
上記従来の燃料供給システムでは、給液所の係員が給液所に設置された全ての計量機を管理しており、モニタ画面に給液許可要求が表示されると、監視カメラの画像から当該計量機の状況を確認して給液許可要求のあった計量機番号に給液許可を与えており、計量機の設置数が多い場合には、釣り銭機への定期的な釣り銭の補充作業が遅れる場合がある。
【００１１】
従って、従来の燃料供給システムにおいては、給液所の係員が釣り銭機の設置場所まで移動して釣り銭の有り高を調べることが難しくなり、例えば、釣り銭のうち何れかの釣り銭の有り高がゼロになった場合には、顧客からの連絡により、係員が釣り銭機へ移動して釣り銭を補充することになる。
【００１２】
そのため、従来は、顧客からの連絡があってから釣り銭機に釣り銭を補充するおそれがあり、顧客に迷惑をかけてしまうという問題があった。
【００１３】
そこで、本発明は上記課題を解決した燃料供給システムを提供することを目的とする。
【００１４】
【課題を解決するための手段】
本発明は上記課題を解決するため、以下のような特徴を有する。
上記請求項１記載の発明は、被燃料供給体に燃料を供給する複数の燃料供給機と、貨幣を入金するための入金機と、燃料供給機から供給された燃料の供給量に応じた金額が入金機に入金された入金額より少ない場合に釣り銭を排出する釣り銭機と、燃料供給機を管理する管理コンピュータと、を備えた燃料供給システムにおいて、管理コンピュータが、表示面と、複数の燃料供給機及び釣り銭機の動作状態を当該表示面に表示する表示手段とを備えたものであり、複数の燃料供給機の動作状態を確認できると共に、釣り銭機動作状態を確認することができる。
【００１５】
上記請求項２記載の発明は、表示手段が、釣り銭機で異常が発生した場合、釣り銭機の状態を示す釣り銭機管理画面を表示面に表示するものであり、釣り銭機で発生した異常内容を容易に確認することが可能になる。例えば、釣り銭機で釣り銭が詰まって排出されないなどの故障が発生した場合でも、係員が直ちに釣り銭機の場所へ移動して故障箇所を修理することが可能になる。
【００１６】
上記請求項３記載の発明は、表示手段が、釣り銭機を指定する操作釦が操作された場合、釣り銭機が保有する貨幣の種類別の枚数を表示面に表示させるものであり、操作釦を操作することにより釣り銭機が有している貨幣の種別ごとの枚数を容易に確認することが可能になる。
【００１７】
【発明の実施の形態】
以下、図面と共に本発明の実施の形態について説明する。
図１は本発明になる燃料供給システムの一実施例の構成図である。
図１に示されるように、燃料供給システム１０は、給液エリア１２に設置された釣り銭機１４と、複数の燃料供給装置１６（１６１〜１６ｎ）と、事務所１８内に設置された管理コンピュータ２０と、管理コンピュータ２０に接続されたＰＯＳ本体２１とを有する。管理コンピュータ２０は、後述するようにタッチパネル式のモニタ２０ａに各燃料供給装置１６（１６１〜１６ｎ）及び釣り銭機１４の動作状態を表示しており、給液所の係員が各燃料供給装置１６（１６１〜１６ｎ）及び釣り銭機１４の動作状態を一目で分かるようになっている。釣り銭機１４は、例えば、給液作業終了後に入金額と給液金額との差額（釣り銭）を支払うための装置であり、係員の釣り銭補充作業を容易にするため、事務所の近傍に設けられている。
【００１８】
管理コンピュータ２０の記憶装置２２には、各燃料供給装置１６（１６１〜１６ｎ）を管理するための制御プログラムと、タッチパネル式のモニタ２０ａの表示面に各燃料供給装置１６（１６１〜１６ｎ）の動作状態及び釣り銭機１４の有り高を表示させる釣り銭機一覧表示釦１１０（後述する）の一覧を表示する制御プログラム（表示手段）とが格納されている。そのため、各燃料供給装置１６（１６１〜１６ｎ）の動作状態を確認できると共に、釣り銭機１４の有り高を表示させる釣り銭機一覧表示釦１１０（後述する）を操作することで釣り銭機１４の有り高を容易に確認することが可能になる。
【００１９】
また、管理コンピュータ２０の記憶装置２２には、釣り銭機１４で異常が発生した場合、釣り銭機１４の状態を示す釣り銭機管理画面（図１１参照）をモニタ２０ａの表示面に表示する制御プログラム（表示手段）が格納されている。そのため、釣り銭機１４で釣り銭が詰まって排出されないなどの故障が発生した場合でも、係員が直ちに釣り銭機１４の場所へ移動して故障箇所を修理することが可能になる。
【００２０】
さらに、管理コンピュータ２０の記憶装置２２には、釣り銭機１４を指定する操作釦が操作された場合、釣り銭機１４が保有する貨幣の種類別の枚数を表示面に表示（図１０参照）させる制御プログラム（表示手段）が格納されている。そのため、操作釦を操作することにより釣り銭機１４が有している貨幣の種別ごとの枚数を容易に確認することが可能になる。
【００２１】
燃料供給装置１６は、セルフサービス給液方式の計量機２４と、計量機２４に搭載された設定器２６と、料金をその場で精算するための自動支払機（入金機）２８とを有する。また、釣り銭機１４及び複数の燃料供給装置１６（１６１〜１６ｎ）は、通信回線（例えば、ＳＳ−ＬＡＮ）３０を介して管理コンピュータ２０と接続されている。
【００２２】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００２３】
図２は燃料供給装置１６の正面図である。
図２に示されるように、燃料供給装置１６は、セルフサービス方式の計量機２４からなり、操作部３８と、操作部３８の両側に起立する支柱４０，４２と、上部に横架されたホース支持部４４とを有する。
【００２４】
計量機２４の内部には、後述する各給液系統の電磁弁と、給液ポンプと、流量計などの各機器が設けられている。
【００２５】
操作部３８には、静電気除去シート４６と、静電気除去シート４６の右側に配置された設定器２６と、自動支払機２８と、インタホン４８とが設けられている。設定器２６は、液晶モニタなどからなるタッチパネル４９を有し、タッチパネル４９に表示された設定入力画面に触れることで液種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００２６】
また、タッチパネル４９は、設定器２６と流量表示器とを兼ねている。すなわち、給液開始前のタッチパネル４９は、設定器２６の設定操作部として機能すると共に、設定終了後のタッチパネル４９は、給液量を表示する給液量表示器として機能するように設けられている。
【００２７】
また、人検知センサ５０としては、例えば、光センサあるいはイメージセンサなどを用いたものであり、給液操作を行う操作者が設定器２６の前に立ったことを検知してその検知信号を出力する。
【００２８】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２９】
カード挿入部５４は、給液所が発行したプリペイドカード、あるいはクレジットカードを挿入されると、カードに記憶された情報を読み取り、給液が可能かどうかを設定器２６に表示させる。
【００３０】
レシート発行部５６は、給液が終了すると、液種、給液量、給液金額、消費税、合計金額などの給液情報を記載したレシートを発行する。
【００３１】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００３２】
図３は燃料供給装置１６の各機器の構成を示すブロック図である。
図３に示されるように、燃料供給装置１６の制御回路６６には、各給液経路に設けられた電磁弁６８、給液ポンプ７０、流量計７２、メモリ８０と、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８と、レシート発行部５６に設けられたプリンタ８２と接続されている。
【００３３】
図４は設定器２６のタッチパネル４９に表示される給液開始画面の一例を示す図である。
図４に示されるように、給液開始画面８４は、給液量の表示領域８４ａにゼロＬ（リットル）を表示し、税込金額の表示領域８４ｂにゼロ円を表示する。さらに、給液開始画面８４では、支払方法の表示領域８４ｃに現金、入金金額の表示領域８４ｄに入金された金額（例えば、５０００円）、液種の表示領域８４ｅに予め設定された液種（例えば、レギュラー）、給液方法の表示領域８４ｆに予め設定された給液方法（プリセット給液または満タン給液）、消費税額の表示領域８４ｇにはゼロ円、単価の表示領域８６ｈには、設定された液種の単価、釣り銭額の表示領域８４ｉには現在の給液金額に対応した釣り銭額（この場合、ゼロ円）が表示される。
【００３４】
制御回路６６は、給液が開始されて流量計７２から流量パルスが出力されると、流量パルスの積算値から求まる給液量に応じた給液金額の値を逐次更新すると共に、給液量の表示領域８４ａに給液量を表示する。
【００３５】
図５は設定器２６のタッチパネル４９に表示される給液終了画面の一例を示す図である。
図５に示されるように、給液終了画面８６は、給液量の表示領域８６ａに３０Ｌ（リットル）を表示し、税込金額の表示領域８６ｂに２９９３円を表示する。さらに、給液終了画面８６では、支払方法の表示領域８６ｃに現金、入金金額の表示領域８６ｄに入金された金額（例えば、５０００円）、液種の表示領域８６ｅに予め設定された液種（例えば、レギュラー）及び単価（例えば、９５円）、給液方法の表示領域８６ｆに予め設定された給液方法（例えば、満タン給液）、消費税額の表示領域８４ｇには給液１４３円、単価の表示領域８６ｈには、設定された液種の単価（例えば、レギュラーの場合、９５円／Ｌ）、釣り銭額の表示領域８４ｉに２００７円が表示される。また、表示領域８４ｆの下方には、確認釦（操作部）８８が表示される。
【００３６】
このように、給液終了画面８６では、入金金額（５千円）から給液量に対応する給液金額と消費税の合計（２９９３円）を減算した釣り銭額（２００７円）が表示されるので、顧客（運転者）は釣り銭額をその場で確認することができる。そのため、給液終了後に釣り銭機１４へ移動して釣り銭を受けることができ、釣り銭を忘れることが防止される。
【００３７】
さらに、プリセット給液を行っている給液途中において、給液ノズル６０の液面検知機構（図示せず）により液面検知されて自動閉弁機構（図示せず）が作動した場合でも、プリセット値（設定量）が給液されていないので、顧客（運転者）は、釣り銭があることを確認できる。
【００３８】
図６は給液終了後に確認釦８８がオンに操作された場合に発行されるレシートの印字例を示す図である。
図６に示されるように、給液終了後、確認釦８８がオンに操作されると、レシート発行部５６のプリンタ８２からレシート９０が発行される。
【００３９】
レシート９０には、店名９０ａ、電話番号９０ｂ、発行年月日・時間９０ｃ、伝票番号９０ｄ、給液された液種９０ｅ、単価９０ｆ、給液金額９０ｇ、消費税９０ｈ、合計９０ｉ、釣り銭の受け取りメッセージ９０ｊ、伝票番号を識別するためのバーコード９０ｋなどが印字される。
【００４０】
図７は釣り銭機１４の正面図である。
図７に示されるように、釣り銭機１４は、給液が終了した車両が通過する場所に設置されており、筐体１４ａの前面にインタホン９２、レシート読み取り機９４、硬貨払い出し口９６、紙幣払い出し口９８、防犯スピーカ１００、取扱中表示ランプ１０２が設けられている。
【００４１】
また、釣り銭機１４は、前述したように、通信回線３０を介して複数の燃料供給装置１６（１６１〜１６ｎ）及び、管理コンピュータ２０と接続されている。そして、釣り銭器１４は、各種硬貨が収納された硬貨払い出し部、各種紙幣が収納された紙幣払い出し部（共に図示せず）と、通信回線３０に接続された通信制御部（図示せず）などが筐体１４ａの内部に設けられている。
【００４２】
ここで、管理コンピュータ２０のモニタ２０ａに表示される計量機管理画面及びその表示方法について説明する。
【００４３】
図８は管理コンピュータ２０のモニタ２０ａに表示される計量機管理画面の一例を示す図である。
図８に示されるように、管理コンピュータ２０のモニタ２０ａは、タッチパネル式のモニタであり、画面に表示された操作釦を押圧することにより、表示される情報を切り替えられる。通常、管理コンピュータ２０のモニタ２０ａには、計量機管理画面１０４が表示されている。
【００４４】
この計量機管理画面１０４は、１６台の燃料供給装置１６（１６１〜１６１６）の状態を表示する計量機状態表示領域１０６（１０６１〜１０６１６）と、給液所に設置された８台の釣り銭機１４の状態を表示する釣り銭機状態表示領域１０８（１０８１〜１０８８）と、釣り銭機一覧表示釦（釣り銭の有り高表示釦）１１０と、緊急停止釦１１２と、メニュー釦１１４と、監視カメラ表示釦１１６と、停止釦１１８と、給液許可釦１２０とが表示される。尚、燃料供給装置１６及び釣り銭機１４の表示数は、これに限らないのは勿論である。
【００４５】
釣り銭機状態表示領域１０８（１０８１〜１０８８）は、異常がない場合には、待機中であることを示す薄い黄色で表示される。また、釣り銭機１４で紙幣または硬貨が詰まって払い出しできない場合には、エラー（故障）であることを表示する赤色で表示される。また、釣り銭機１４に収納された釣り銭の補充を行っている場合には、係員モードである薄い緑色で表示される。また、釣り銭機１４において、顧客が釣り銭の払い出しを行っている場合には、精算中を示す緑色で表示される。
【００４６】
このように、給液所の係員は、釣り銭機状態表示領域１０８（１０８１〜１０８８）の表示色によって８台の釣り銭機１４の状態を容易に確認することが可能になる。
【００４７】
ここで、計量機状態表示領域１０６の表示例について説明する。
図９（Ａ）〜（Ｇ）は計量機状態表示領域１０６の表示例の切り替わりを説明するための図である。尚、図９（Ａ）〜（Ｇ）に示す表示例は、顧客が給液終了後、釣り銭を釣り銭機１４から払い出す前に、次の顧客が設定器２６により設定操作した場合、次の顧客の設定情報が精算待ちデータの上に重なって表示される。
【００４８】
図９（Ａ）に示されるように、計量機状態表示領域１０６には、前回表示の給液情報（計量機番号１２２、動作状態１２４、伝票番号１２６、液種１２８、給液量１３０、釣り銭額１３２）が表示される。そして、精算待ちの場合、前回表示の給液情報（動作状態１２４、伝票番号１２６、液種１２８、給液量１３０、釣り銭額１３２）が水色で表示される。そのため、係員は、モニタ２０ａに表示された計量機状態表示領域１０６の水色で表示された部分については、精算待ちの状態であることを一目で認識できる。
【００４９】
図９（Ｂ）に示されるように、同じ計量機に次の顧客が到着して設定操作を開始すると、図９（Ａ）に示す前回表示の給液情報（動作状態１２４、伝票番号１２６、液種１２８、給液量１３０、釣り銭額１３２）の一部と重なるように空欄の動作状態１２４ａ、伝票番号１２６ａを表示すると共に、今回設定器２６に入力された液種及びプリセット金額を、液種１２８ａ、給液量１３０ａ、釣り銭額１３２ａに表示させる。
【００５０】
この場合、動作状態１２４ａ、伝票番号１２６ａ、液種１２８ａ、給液量１３０ａ、釣り銭額１３２ａは、薄い緑色に表示される。
【００５１】
図９（Ｃ）に示されるように、前回の顧客が、給液終了後に釣り銭機１４から釣り銭を払い出すと、前回表示の給液情報（動作状態１２４、伝票番号１２６、液種１２８、給液量１３０、釣り銭額１３２）は、薄い赤色に表示される。これにより、係員は、前回の顧客が釣り銭を受け取ったことを確認する。
【００５２】
図９（Ｄ）に示されるように、釣り銭が払い出されてから所定時間（例えば、９０秒）が経過すると、前回表示の給液情報（動作状態１２４、伝票番号１２６、液種１２８、給液量１３０、釣り銭額１３２）は消去される。
【００５３】
ここで、釣り銭機一覧表示釦１１０を押圧操作した場合の釣り銭機一覧表示例について図１０を参照して説明する。
【００５４】
図１０に示されるように、釣り銭機一覧表示画面（釣り銭機管理画面）１４０は、釣り銭機一覧表示釦１１０が押圧操作されると、管理コンピュータ２０のモニタ２０ａに表示される。例えば、８台の釣り銭機１４が設置されている場合には、１〜８番の釣り銭機１４に残っている硬貨及び紙幣の枚数が各金額別に一覧として表示される。そのため、給液所の係員は、釣り銭機一覧表示画面１４０をモニタ２０ａに表示させることにより、全ての釣り銭機１４に残っている硬貨及び紙幣の枚数を各金額別に容易に確認することが可能になる。
【００５５】
さらに、釣り銭機一覧表示画面１４０には、右側に１〜８番の釣り銭機１４に残っている硬貨及び紙幣の有り高を番号別の合計額として表示する釣り銭機別合計額表示欄１４２が設けられている。また、釣り銭機一覧表示画面１４０には、一覧の上部に紙幣または硬貨の種別（１０００円、５００円、１００円、５０円、１０円、５円、１円）を表示する種別表示欄１４４が表示され、一覧の下部に１〜８番の釣り銭機１４に残っている硬貨及び紙幣の枚数が各金額に表示される金額別合計枚数表示欄１４６が表示される。
【００５６】
そのため、給液所の係員は、釣り銭機一覧表示画面１４０を横軸方向にみることで釣り銭機別合計額表示欄１４２に表示された釣り銭機別合計額を確認することが可能になり、且つ釣り銭機一覧表示画面１４０を縦軸方向にみることで金額別合計枚数表示欄１４６に表示された紙幣または硬貨の種類別の合計枚数を確認することが可能になる。
【００５７】
また、モニタ２０ａの表示画面は、釣り銭機一覧表示画面１４０の右下に表示された戻る釦１４８を押圧操作することにより図８に示す計量機管理画面１０４に切り替わる。
【００５８】
ここで、釣り銭機１４で何らかの異常が発生した場合の表示例について図１１を参照して説明する。
【００５９】
図１１に示されるように、例えば、２番の釣り銭機１４で何らかの異常が発生した場合、釣り銭機状態表示領域１０８１が赤色表示される。これにより、給液所の係員は、２番の釣り銭機１４で異常発生を確認する。さらに、管理コンピュータ２０は、釣り銭機状態表示領域１０８（１０８１〜１０８８）のうち異常発生した釣り銭機１４の番号に対応する釣り銭機状態表示領域１０８を赤色で表示し、所定時間経過後（例えば、１〜２分間）に異常発生画面（釣り銭機管理画面）１５０をモニタ２０ａに拡大表示する。
【００６０】
この異常発生画面１５０は、大きな文字で異常発生表示領域１５２が設けられ、且つ異常内容表示領域１５４が設けられている。異常内容表示領域１５４には、例えば、「釣り銭機２  紙幣詰まり」といったような異常内容を示すメッセージが表示される。
【００６１】
給液所の係員は、異常発生画面１５０が釣り銭機一覧表示画面１４０の上に大きく表示されるので、即座に釣り銭機１４の異常を把握することが可能になる。そのため、給液所の係員は直ちに表示された番号の釣り銭機１４へ移動して詰まった紙幣を除去する。
【００６２】
その後、事務所１８に戻った係員は、了解釦１５６を押圧操作することにより、異常発生画面１５０の表示が消去される。
【００６３】
ここで、燃料供給装置１６の制御回路（図示せず）が実行する制御処理について図１２を参照して説明する。
【００６４】
図１２に示されるように、燃料供給装置１６の制御回路６６は、ステップＳ１１（以下「ステップ」を省略する）において、設定器２６より給液前の設定情報（液種、給液方法、給液量、給液金額、入金額など）が入力されたかどうかをチェックする。
【００６５】
Ｓ１１において、給液前の設定情報（液種、給液方法、給液量、給液金額、入金額など）が入力された場合、Ｓ１２に進み、給液前情報を管理コンピュータ２０へ送信する。次のＳ１３では、ノズル掛け６２に設けられたノズルスイッチ７４がオフかどうかをチェックする。
【００６６】
Ｓ１３において、ノズルスイッチ７４がオフになると、ノズル掛け６２から給液ノズル６０が外されて車両（図示せず）の給液口に挿入されたものと判断し、Ｓ１４に進む。Ｓ１４では、給液ノズル６０が外されたことを示す給液許可要求信号を管理コンピュータ２０へ送信する。
【００６７】
次のＳ１５では、管理コンピュータ２０から給液許可信号が送信されたかどうかをチェックする。Ｓ１５において、給液所の係員が管理コンピュータ２０のモニタ２０ａに表示された給液許可要求信号を出力した計量機番号の計量機状態表示領域１０６を押圧した後、給液許可釦１２０が押圧操作されると、当該計量機番号に対して給液要求信号を出力する。
【００６８】
そのため、Ｓ１５において、給液要求信号が入力されると、Ｓ１６に進み、給液ポンプ７０のモータ（図示せず）を起動させる。これで、顧客（運転者）が給液ノズル６０のノズルレバー（図示せず）を開弁位置に操作すると、車両の燃料タンクに給液開始される。そして、当該燃料供給装置１６の流量計７２が給液量に応じた流量パルスを出力すると、流量パルスを積算して積算流量（給液量）を算出すると共に、実給液量、給液金額、液種単価をタッチパネル４９に表示する（図５参照）。
【００６９】
次のＳ１７では、ノズル掛け６２に設けられたノズルスイッチ７４がオンかどうかをチェックする。Ｓ１７において、ノズルスイッチ７４がオンになると、ノズル掛け６２に給液ノズル６０が戻されて当該車両（図示せず）への給液が終了したものと判断し、Ｓ１８に進む。Ｓ１８では、給液ポンプ７０のモータ（図示せず）へ出力されていた駆動信号を停止すると共に、入金額及び実給液データ（給液量、給液金額、消費税を含む）を釣り銭機１４及び管理コンピュータ２０へ出力する。次のＳ１９では、前述したようにレシート発行部５６のプリンタ８２から実給液情報（少なくとも単価、給液量、給液金額、消費税）及び伝票番号が印字されたレシート９０を発行させる（図６参照）。
【００７０】
これで、燃料供給装置１６の制御回路（図示せず）が実行する一連の制御処理が終了する。
【００７１】
図１３は管理コンピュータ２０が実行するメイン制御処理を説明するためのフローチャートである。
図１３に示されるように、管理コンピュータ２０は、Ｓ３１で記憶装置２２に格納された計量機状態記憶エリア、精算待ち・実給液状態記憶エリア、などの各記憶エリアより記憶内容（データ）を読み込む。
【００７２】
次のＳ３２では、各記憶エリアより読み込んだ記憶内容（設定情報、給液情報、精算情報など）に基づいて各燃料供給装置１６及び各釣り銭機１４の動作状況をモニタ２０ａに表示する（図８乃至図１１参照）。
【００７３】
次のＳ３３では、計量機管理画面１０４（図８を参照）に表示された釣り銭機一覧表示釦１１０が押圧操作されたかどうかをチェックする。Ｓ３３において、釣り銭機一覧表示釦１１０が押圧操作された場合には、Ｓ３４に進み、釣り銭機一覧表示画面１４０（図１０を参照）を管理コンピュータ２０のモニタ２０ａに表示する。
【００７４】
続いて、Ｓ３５では、釣り銭機一覧表示画面１４０の右下に表示された戻る釦１４８が押圧操作されたかどうかをチェックする。Ｓ３５において、戻る釦１４８が押圧操作されたときは、今回の表示制御処理が終了する。また、上記Ｓ３３において、釣り銭機一覧表示釦１１０が押圧操作されないときは、Ｓ３４、Ｓ３５の処理を省略して今回の表示制御処理が終了する。
【００７５】
このように、管理コンピュータ２０は、上記Ｓ３１〜Ｓ３５の処理を予め設定された所定時間毎に繰り返しており、各記憶エリアに格納された情報をモニタ２０ａに表示して各燃料供給装置１６及び各釣り銭機１４の動作状況を係員に報知する。
【００７６】
図１４は管理コンピュータ２０が実行する割り込み処理１を説明するためのフローチャートである。尚、この割り込み処理１は、予め設定された所定時間毎に繰り返し実行される。
図１４に示されるように、管理コンピュータ２０は、Ｓ４１において、給液前情報（計量機番号、支払い方法、給液方法、液種等のデータ）が設定器２６から入力されたかどうかをチェックする。Ｓ４１において、給液前情報が設定器２６から入力されたときは、Ｓ４２に進み、記憶装置２２の計量機状態記憶エリアに給液前情報（計量機番号、支払い方法、給液方法、液種等のデータ）を示すデータ（コード番号）を記憶させる。これにより、モニタ２０ａの当該計量機番号に対応する計量機状態表示領域１０６に給液前情報（計量機番号、支払い方法、給液方法、液種等のデータ）が表示される。この後は上記Ｓ４１に戻る。
【００７７】
また、上記Ｓ４１において、給液前情報が設定器２６から入力されないときは、Ｓ４３に進み、ノズルスイッチ７４がオフになってノズル外れ信号が入力されたかどうかをチェックする。
【００７８】
Ｓ４３において、ノズル外れ信号が入力されたときは、Ｓ４４に進み、記憶装置２２の計量機状態記憶エリアの当該計量機番号及び伝票番号に対応させて給液許可待ち情報（給液許可要求信号有り）を示すデータ（コード番号）を更新記憶させる。これにより、モニタ２０ａの当該計量機番号に対応する計量機状態表示領域１０６に給液許可待ち情報が表示される。この後は上記Ｓ４１に戻る。
【００７９】
また、上記Ｓ４３において、ノズル外れ信号が入力されないときは、Ｓ４５に進み、モニタ２０ａに表示された給液許可釦１２０が押圧操作されたかどうかをチェックする。
【００８０】
Ｓ４５において、給液許可釦１２０が押圧操作されたときは、Ｓ４６に進み、当該計量機番号に対して給液許可信号を出力する。続いて、Ｓ４７では、記憶装置２２の計量機状態記憶エリアの当該計量機番号及び伝票番号に対応させて給液中情報（流量パルス信号有り）を示すデータ（コード番号）を更新記憶させる。これにより、モニタ２０ａの当該計量機番号に対応する計量機状態表示領域１０６に給液中情報が表示される。この後は上記Ｓ４１に戻る。
【００８１】
また、Ｓ４５において、給液許可釦１２０が押圧操作されないときは、Ｓ４８に進み、給液終了信号（ノズルスイッチ７４がオン）が入力されたかどうかをチェックする。Ｓ４８において、給液終了信号が入力されたときは、Ｓ４９に進み、記憶装置２２の計量機状態記憶エリアの当該伝票番号及び伝票番号に対応する給液情報を抹消する。続いて、Ｓ５０では、記憶装置２２の精算待ち・実給液状態記憶エリアに当該伝票番号に対応させて給液情報（給液量、給液金額、釣り銭額等）を更新記憶させる。これにより、モニタ２０ａの当該計量機番号に対応する計量機状態表示領域１０６に給液情報が表示される。この後は上記Ｓ４１に戻る。
【００８２】
そして、Ｓ４８において、給液終了信号が入力されないときは、上記Ｓ４１に戻る。
【００８３】
このように、管理コンピュータ２０では、計量機状態記憶エリア、精算待ち・実給液状態記憶エリアなどの各記憶エリアのデータを更新記憶または抹消することによりモニタ２０ａに表示される計量機状態表示領域１０６に表示される各データ（伝票番号、液種、給液量、給液金額、釣り銭額等）を更新または消去する。
【００８４】
図１５は管理コンピュータ２０が実行する割り込み処理２を説明するためのフローチャートである。尚、この割り込み処理２は、予め設定された所定時間毎に繰り返し実行される。
図１５に示されるように、管理コンピュータ２０は、Ｓ５１において、精算終了信号（釣り銭１４から釣り銭を払い出した場合に出力される）が入力されたかどうかをチェックする。Ｓ５１において、精算終了信号が入力されたときは、Ｓ５２に進み、精算待ち・実給液情報記憶エリアより精算済みとなった伝票番号の情報を抹消する（図９（Ａ）（Ｂ）参照）。
【００８５】
次のＳ５３では、精算済み・実給液情報記憶エリアに精算済みとなった伝票番号の情報を記憶する（図９（Ｃ）参照）。続いて、Ｓ５４に進み、予め設定された所定時間が経過されたかどうかをチェックする。
【００８６】
そして、所定時間が経過すると、Ｓ５５に進み、精算済み・実給液情報記憶エリアより精算済みとなった伝票番号の情報を抹消する（図９（Ｄ）参照）。
【００８７】
このように、図１４乃至図１５に示す制御処理によって計量機状態表示領域１０６に表示される各データの更新または抹消が行われ、燃料供給装置１６（１６１〜１６ｎ）の動作状況が図９（Ａ）〜（Ｄ）に示されるように分かりやすく表示される。
【００８８】
ここで、釣り銭機１４の制御回路（図示せず）が実行するメイン制御処理について図１６を参照して説明する。
【００８９】
図１６に示されるように、釣り銭機１４の制御回路（図示せず）は、Ｓ６１でレシート９０（図６参照）がレシート読み取り機９４（図７参照）に挿入されたかどうかをチェックする。
【００９０】
Ｓ６１において、レシート９０がレシート読み取り機９４に挿入されないときは、Ｓ６２に進み、釣り銭機待機中を示すコード番号を管理コンピュータ２０に出力して記憶装置２２の記憶エリアに記憶させる。そして、Ｓ６１に戻る。従って、通常、顧客が釣り銭を受け取りに来ない場合には、Ｓ６１，Ｓ６２の処理を繰り返している。
【００９１】
また、Ｓ６１において、レシート９０がレシート読み取り機９４に挿入されたときは、Ｓ６３に進み、釣り銭機待機中データを示すコード番号を記憶エリアから抹消する。次のＳ６４では、レシート９０に印字されたバーコード９０ｋを読み取って当該レシート９０の伝票番号を判別する。
【００９２】
続いて、Ｓ６５では、釣り銭機精算中を示すデータ（コード番号）を記憶装置２２の記憶エリアに記憶させる。次のＳ６６では、レシート読み取り機９４で読み取られたレシート９０の伝票番号に基づいて釣り銭額（＝入金額−給液金額）を演算する。
【００９３】
Ｓ６７では、釣り銭機１４の硬貨払い出し口９６、紙幣払い出し口９８からＳ６５で演算された釣り銭額に対応する硬貨、紙幣を排出する。次のＳ６８では、精算終了を示すデータ（コード番号）を管理コンピュータ２０に出力する。
【００９４】
続いて、Ｓ６９では、記憶装置２２の記憶エリアに記憶された釣り銭機精算中を示すデータ（コード番号）を抹消させる。
【００９５】
このように、釣り銭機１４では、レシート９０がレシート読み取り機９４に挿入されて伝票番号が判別されると、伝票番号に基づいて釣り銭額を求めて、釣り銭を払い出しする。
【００９６】
釣り銭機１４の制御回路（図示せず）では、上記メイン制御処理と並行して図１７乃至図１９に示す割り込み処理１〜３も所定時間間隔で実行する。
【００９７】
図１７に示されるように、Ｓ７１では、釣り銭機１４の硬貨払い出し部及び紙幣払い出し部（共に図示せず）に有り高を読み込んで釣り銭が不足しているかどうかをチェックする。Ｓ７１において、釣り銭が不足している場合には、Ｓ７２に進み、釣り銭不足を示すコード番号を記憶エリアに記憶させる。
【００９８】
また、Ｓ７１において、釣り銭が不足していない場合には、Ｓ７３に進み、釣り銭不足を示すコード番号を抹消する。
【００９９】
図１８に示されるように、Ｓ８１では、釣り銭機１４がメンテナンス中かどうかをチェックする。Ｓ８１において、釣り銭機１４がメンテナンス中の場合には、Ｓ８２に進み、メンテナンス中を示すコード番号を記憶エリアに記憶させる。
【０１００】
また、Ｓ８１において、釣り銭機１４がメンテナンス中でない場合には、Ｓ８３に進み、メンテナンス中を示すコード番号を抹消する。
【０１０１】
図１９に示されるように、Ｓ９１では、釣り銭機１４でその他の異常検出が有るか否かをチェックする。Ｓ９１において、釣り銭機１４でその他の異常検出がある場合には、Ｓ９２に進み、異常検出を示すコード番号を記憶エリアに記憶させる。
【０１０２】
また、Ｓ９１において、釣り銭機１４でその他の異常検出がない場合には、Ｓ９３に進み、異常検出を示すコード番号を抹消する。
【０１０３】
このように、釣り銭機１４では、図１６に示すメイン制御処理と共に、図１７乃至図１９に示す割り込み処理１〜３を実行することにより、待機中または精算中かを認識できると共に、釣り銭不足またはメンテナンス中またはその他の異常検出かどうかを記憶装置２２の記憶エリアに記憶させることで図１１に示されるように、モニタ２０ａに異常内容を表示することが可能になる。
【０１０４】
そのため、給液所の係員は、モニタ２０ａに表示された計量機管理画面１０４をみているときでも釣り銭機１４で何らかの異常があれば、図１１に示されるように、釣り銭機状態表示領域１０８（１０８１〜１０８８）のうち異常発生した釣り銭機１４の番号に対応する釣り銭機状態表示領域１０８を赤色で表示し、所定時間経過後（例えば、１〜２分間）に異常発生画面１５０が拡大表示されるので、見落としすることがなく、直ちにその異常内容を解消するための行動を起こすことが可能になる。
【０１０５】
ここで、異常発生画面１５０を手動操作で表示させる場合の制御処理の変形例について図２０を参照して説明する。
【０１０６】
図２０に示されるように、管理コンピュータ２０は、Ｓ１０１で記憶装置２２に格納された計量機状態記憶エリア、精算待ち・実給液状態記憶エリア、などの各記憶エリアより記憶内容（データ）を読み込む。
【０１０７】
次のＳ１０２では、各記憶エリアより読み込んだ記憶内容（設定情報、給液情報、精算情報など）に基づいて計量機管理画面１０４（図８を参照）をモニタ２０ａに表示する（図８参照）。
【０１０８】
次のＳ１０３では、計量機管理画面１０４（図８を参照）に表示された釣り銭機一覧表示釦１１０が押圧操作されたかどうかをチェックする。Ｓ１０３において、釣り銭機一覧表示釦１１０が押圧操作された場合には、Ｓ１０４に進み、給液所に設置された全ての釣り銭機１４の状態を表示する釣り銭機管理画面としての釣り銭機一覧表示画面１４０（図１０を参照）を管理コンピュータ２０のモニタ２０ａに表示する。
【０１０９】
続いて、Ｓ１０５では、釣り銭機一覧表示画面１４０の右下に表示された戻る釦１４８が押圧操作されたかどうかをチェックする。Ｓ１０５において、戻る釦１４８が押圧操作されないときは、後述するＳ１０７に進む。また、Ｓ１０５において、戻る釦１４８が押圧操作されたときは、Ｓ１０６に進み、釣り銭機一覧表示画面１４０をモニタ２０ａから消去する。
【０１１０】
また、上記Ｓ１０３において、釣り銭機一覧表示釦１１０が押圧操作されない場合には、Ｓ１０７に進み、釣り銭機１４に異常が有るか否かをチェックする。Ｓ１０７において、釣り銭機１４に異常がないときは、上記Ｓ１０１に戻り、Ｓ１０１以降の処理を実行する。
【０１１１】
また、上記Ｓ１０７において、釣り銭機１４に異常が有るときは、Ｓ１０８に進み、計量機管理画面１０４（図８を参照）の釣り銭機状態表示領域１０８（１０８１〜１０８８）のうち異常発生した釣り銭機１４の番号に対応する釣り銭機状態表示領域１０８を赤色で表示する。
【０１１２】
続いて、Ｓ１０９に進み、赤色で表示された番号の釦が押圧操作されたかどうかをチェックする。モニタ２０ａの表示をみた給液所の係員は、釣り銭機状態表示領域１０８（１０８１〜１０８８）のうち赤色表示された番号の釣り銭機１４で何らかの異常が発生したことを認識することができる。
【０１１３】
そして、給液所の係員が異常内容（異常原因）を知りたいときは、赤色表示された番号の釦を押圧操作する。また、複数の給液許可要求が集中していて釣り銭機１４のメンテナンスを行う余裕がない場合には、給液許可要求がゼロになるまで赤色表示された番号の釦を押圧操作せずに後回しにすることができる。その後、給液許可釦１２０の操作が一段落した時点で赤色表示された番号の釦を押圧操作することが可能である。
【０１１４】
また、Ｓ１０９において、赤色で表示された番号の釦が押圧操作されたときは、Ｓ１１０に進み、図１１に示されるように、異常発生画面１５０を釣り銭機一覧表示画面１４０の上に拡大表示する。
【０１１５】
これにより、モニタ２０ａに表示された異常発生画面１５０をみた給液所の係員は、赤色で表示された番号の釦を押圧操作即座に釣り銭機１４の異常を確認でき、直ちに表示された番号の釣り銭機１４へ移動して詰まった紙幣を除去することができる。
【０１１６】
また、上記Ｓ１０９において、赤色で表示された番号の釦が押圧操作されないときは、上記Ｓ１０１に戻り、Ｓ１０１以降の処理を繰り返す。
【０１１７】
次のＳ１１１では、異常発生画面１５０の了解釦１５２が押圧操作されたかどうかをチェックする。Ｓ１１１において、異常発生画面１５０の了解釦１５２が押圧操作されたときは、Ｓ１１２に進み、異常発生画面１５０をモニタ２０ａから消去する。次のＳ１１３では、給液所に設置された全ての釣り銭機１４の状態を表示する釣り銭機管理画面としての釣り銭機一覧表示画面１４０がモニタ２０ａに表示されているか否かをチェックする。
【０１１８】
Ｓ１１３において、釣り銭機一覧表示画面１４０がモニタ２０ａに表示されているときは、上記Ｓ１０５に戻り、Ｓ１０５以降の処理を実行する。また、Ｓ１１３において、釣り銭機一覧表示画面１４０がモニタ２０ａに表示されていないときは、今回の表示制御処理を終了する。
【０１１９】
このように、異常発生画面１５０の表示の有無を係員の意思で判断することができるので、釣り銭機１４で何らかの異常が発生した場合でも燃料供給装置１６（１６１〜１６１６）の稼動状況（顧客の操作）に応じて異常発生画面１５０を表示させるタイミングを変更することが可能になる。
【０１２０】
尚、上記実施の形態では、地上設置型の計量機に取り付けられた構成を一例として挙げたが、これに限らず、懸垂式の給液装置にも適用できるのは勿論である。
【０１２１】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【０１２２】
また，上記実施の形態では、ＰＯＳでの商品管理を行っているが、ＰＯＳ無しでの給油システムで実施することも可能である。
【０１２３】
また、上記実施の形態では、設定器は、流量表示器を兼ねたタッチパネルを設け、計量機に内蔵されている場合を一例として挙げたが、計量機と別の筐体に入っていたり、タッチパネルを持たない押し釦式であっても適用できるのは勿論である。
【０１２４】
また、上記実施の形態では、設定操作を行う前に紙幣を自動支払機２８に入金する所謂前払い方式について説明したが、本発明は、給液が終了した後に紙幣を自動支払機２８に入金する所謂後払い方式にも適用できるのは勿論である。
【０１２５】
【発明の効果】
上述の如く、上記請求項１記載の発明によれば、被燃料供給体に燃料を供給する複数の燃料供給機と、貨幣を入金するための入金機と、燃料供給機から供給された燃料の供給量に応じた金額が入金機に入金された入金額より少ない場合に釣り銭を排出する釣り銭機と、燃料供給機を管理する管理コンピュータと、を備えた燃料供給システムにおいて、管理コンピュータが、表示面と、複数の燃料供給機及び釣り銭機の動作状態を当該表示面に表示する表示手段とを備えたため、複数の燃料供給機の動作状態を確認できると共に、釣り銭機動作状態を確認することができる。
【０１２６】
上記請求項２記載の発明は、表示手段が、釣り銭機で異常が発生した場合、釣り銭機の状態を示す釣り銭機管理画面を表示面に表示するため、釣り銭機で発生した異常内容を容易に確認することが可能になる。例えば、釣り銭機で釣り銭が詰まって排出されないなどの故障が発生した場合でも、係員が直ちに釣り銭機の場所へ移動して故障箇所を修理することができる。
【０１２７】
上記請求項３記載の発明は、表示手段が、釣り銭機を指定する操作釦が操作された場合、釣り銭機が保有する貨幣の種類別の枚数を表示面に表示させるため、操作釦を操作することにより釣り銭機が有している貨幣の種別ごとの枚数を容易に確認することができる。
【図面の簡単な説明】
【図１】本発明になる燃料供給システムの一実施例の構成図である。
【図２】燃料供給装置１６の正面図である。
【図３】燃料供給装置１６の各機器の構成を示すブロック図である。
【図４】設定器２６のタッチパネル４９に表示される給液開始画面の一例を示す図である。
【図５】設定器２６のタッチパネル４９に表示される給液終了画面の一例を示す図である。
【図６】給液終了後に確認釦８８がオンに操作された場合に発行されるレシートの印字例を示す図である。
【図７】釣り銭機１４の正面図である。
【図８】管理コンピュータ２０のモニタ２０ａに表示される計量機管理画面の一例を示す図である。
【図９】計量機状態表示領域１０６の表示例の切り替わりを説明するための図である。
【図１０】釣り銭機一覧表示釦１１０を押圧操作した場合の釣り銭機一覧表示例を説明するための図である。
【図１１】釣り銭機１４で何らかの異常が発生した場合の表示例を説明するための図である。
【図１２】燃料供給装置１６の制御回路６６が実行する制御処理を説明するためのフローチャートである。
【図１３】釣り銭機１４の制御回路が実行するメイン制御処理を説明するためのフローチャートである。
【図１４】釣り銭機１４の制御回路が実行する割り込み処理１を説明するためのフローチャートである。
【図１５】釣り銭機１４の制御回路が実行する割り込み処理２を説明するためのフローチャートである。
【図１６】釣り銭機１４の制御回路が実行するメイン制御処理を説明するためのフローチャートである。
【図１７】釣り銭機１４の制御回路が実行する割り込み処理１を説明するためのフローチャートである。
【図１８】釣り銭機１４の制御回路が実行する割り込み処理２を説明するためのフローチャートである。
【図１９】釣り銭機１４の制御回路が実行する割り込み処理３を説明するためのフローチャートである。
【図２０】異常発生画面１５０を手動操作で表示させる場合の制御処理の変形例を説明するためのフローチャートである。
【符号の説明】
１０  給液システム
１４  釣り銭機
１６（１６１〜１６ｎ）  燃料供給装置
２０  管理コンピュータ
２０ａ  モニタ
２１  ＰＯＳ本体
２２  記憶装置
２４  計量機
２６  設定器
２８  自動支払機
３０  通信回線
３２１〜３２ｎ  監視カメラ
３４  カメラ分割ユニット
３６  監視モニタ
３８  操作部
４９  タッチパネル
５０  人検知センサ
５２  紙幣挿入部
５４  カード挿入部
５６  レシート発行部
６２  ノズル掛け
６０  給液ノズル
６６  制御回路
７０  給液ポンプ
７２  流量計
７８  カードＲ／Ｗ
８０  メモリ
９０  レシート
９２  インタホン
９４  レシート読み取り機
９６  硬貨払い出し口
９８  紙幣払い出し口
１００  防犯スピーカ
１０２  取扱中表示ランプ
１０４  計量機管理画面
１０６（１０６１〜１０６１６）  計量機状態表示領域
１０８（１０８１〜１０８８）  釣り銭機状態表示領域
１１０  釣り銭機一覧表示釦
１１２  緊急停止釦
１１４  メニュー釦
１１６  監視カメラ表示釦
１１８  停止釦
１２０  給液許可釦
１２２  計量機番号
１２４  動作状態
１２６  伝票番号
１２８  液種
１３０  給液量
１３２  釣り銭額
１４０  釣り銭機一覧表示画面
１４２  釣り銭機別合計額表示欄
１４４  種別表示欄
１４６  金額別合計枚数表示欄
１４８  戻る釦
１５０  異常発生画面
１５２  異常発生表示領域
１５４  異常内容表示領域
【図１】
2004203474.tif 000003
【図２】
2004203474.tif 000004
【図３】
2004203474.tif 000005
【図４】
2004203474.tif 000006
【図５】
2004203474.tif 000007
【図６】
2004203474.tif 000008
【図７】
2004203474.tif 000009
【図８】
2004203474.tif 000010
【図９】
2004203474.tif 000011
【図１０】
2004203474.tif 000012
【図１１】
2004203474.tif 000013
【図１２】
2004203474.tif 000014
【図１３】
2004203474.tif 000015
【図１４】
2004203474.tif 000016
【図１５】
2004203474.tif 000017
【図１６】
2004203474.tif 000018
【図１７】
2004203474.tif 000019
【図１８】
2004203474.tif 000020
【図１９】
2004203474.tif 000021
【図２０】
2004203474.tif 000022